(57)【特許請求の範囲】
【請求項１】
建物内の床に形成された開口部に嵌め込まれて取り付けられる外枠は前記開口部の内周面に沿う四方の立ち上がり壁と、この立ち上がり壁の上端に外側に直角に向いて連設され前記開口部周りの床の上面に当接する鍔部と、前記立ち上がり壁の下端に内側に直角に向いて連設され内枠を受ける受け部とを一体に備え、床の前記開口部を囲む部分の下側を受ける根太の前記開口部側の側面に受桟が取り付けられて、前記外枠の受け部は受桟上に載って受けられ、前記内枠は外枠で囲まれる開口部を閉じる蓋体の周囲を上下、側面から包むように蓋体の外周面に沿う四方の立ち上がり壁と、この立ち上がり壁の上端に内側に直角に向いて連設され蓋体の上面に当接する鍔部と、立ち上がり壁の下端に内側に直角に向いて連設され蓋体の下面に当接するとともに前記外枠の受け部上に載る板部と、この板部の先端から内側に向いて前記受け部上に載らないように連設され蓋体の下面との間に間隙が形成されるようにしたパッキン取り付け用板部とを一体に備えて、断面ほぼコの字型に形成され、前記パッキン取り付け用板部と蓋体の下面との間には気密用のパッキンが全周に亘って挿入されており、さらに前記外枠には前記受け部上に載せられた内枠の外面に圧接する気密用のパッキンが全周に亘って設けられていることを特徴とする床下点検口。
【発明の詳細な説明】
【技術分野】
【０００１】
本発明は、建物内の床に設けられる床下点検口に関するものである。
【背景技術】
【０００２】
従来から知られている床下点検口としては、例えば特許文献１に開示されているように、建物内の床に形成された開口部に嵌め込まれて取り付けられる外枠は前記開口部の内周面に沿う四方の立ち上がり壁と、この立ち上がり壁の上端に外側に直角に向いて連設され前記開口部周りの床の上面に当接する鍔部と、前記立ち上がり壁の下端に内側に直角に向いて連設され内枠を受ける受け部と、この受け部に隣接して内枠に取り付けた蓋体を受ける受け部が一体に設けられ、この受け部の上端が開口する凹部内に気密用のパッキンを装着させて、凹部から僅かに突出するパッキンに前記蓋体の裏面が圧接するように構成されてなるものがある。具体的には、この特許文献１に開示されている構成では内枠は蓋体の周囲を包む立ち上がり壁と、この立ち上がり壁の上端に連設され蓋体の周囲における上面に当接する鍔部とを備えているものの、蓋体の周囲における下面に当接する部分を備えておらず、そのために蓋体との気密を得るために外枠の立ち上がり壁の下端に内側に直角に向いて連設され内枠を受ける受け部と、この受け部に隣接して内枠に取り付けた蓋体を受ける受け部が一体に設けられ、この受け部の上端が開口する凹部内に気密用のパッキンを装着させて、凹部から僅かに突出するパッキンに前記蓋体の裏面が圧接するように構成してあるのである。
【０００３】
上記特許文献１に開示されている床下点検口の構成では、内枠には蓋体の周囲における下面に当接する部分を備えておらず、床の開口部から内枠とともに蓋体を持ち上げて蓋体を裏向けたとき、蓋体の裏面における周囲の切口が露出することになり、見栄えが悪いという問題がある。
【０００４】
そこで、蓋体を裏向けても蓋体の裏面における周囲の切口が露出しないように覆うために蓋体の周囲を上下、側面から包むように断面ほぼコの字型の内枠を使用し、この内枠で蓋体の周囲を完全に包むようにしたものが特許文献２で知られている。
【特許文献１】特開２００１−３４９０４８号公報
【特許文献２】特開２００２−２２７４００号公報
【発明の開示】
【発明が解決しようとする課題】
【０００５】
しかしながら、上記特許文献２に開示されている床下点検口の場合、内枠と蓋体との間は気密されておらず、断熱構造の床下点検口には不向きであるという問題があった。
本発明の目的は、このような課題を解決するものであり、断面ほぼコの字型の内枠により蓋体の周囲を上下、側面から包むようにした床下点検口において、内枠と蓋体との間の気密を保持できるようにすることにある。
【課題を解決するための手段】
【０００６】
本発明の請求項１に記載の床下点検口は、建物内の床に形成された開口部に嵌め込まれて取り付けられる外枠は前記開口部の内周面に沿う四方の立ち上がり壁と、この立ち上がり壁の上端に外側に直角に向いて連設され前記開口部周りの床の上面に当接する鍔部と、前記立ち上がり壁の下端に内側に直角に向いて連設され内枠を受ける受け部とを一体に備え、床の前記開口部を囲む部分の下側を受ける根太の前記開口部側の側面に受桟が取り付けられて、前記外枠の受け部は受桟上に載って受けられ、前記内枠は外枠で囲まれる開口部を閉じる蓋体の周囲を上下、側面から包むように蓋体の外周面に沿う四方の立ち上がり壁と、この立ち上がり壁の上端に内側に直角に向いて連設され蓋体の上面に当接する鍔部と、立ち上がり壁の下端に内側に直角に向いて連設され蓋体の下面に当接するとともに前記外枠の受け部上に載る板部と、この板部の先端から内側に向いて前記受け部上に載らないように連設され蓋体の下面との間に間隙が形成されるようにしたパッキン取り付け用板部とを一体に備えて、断面ほぼコの字型に形成され、前記パッキン取り付け用板部と蓋体の下面との間には気密用のパッキンが全周に亘って挿入されており、さらに前記外枠には前記受け部上に載せられた内枠の外面に圧接する気密用のパッキンが全周に亘って設けられていることを特徴とする。
【発明の効果】
【０００７】
以上のように、本発明の床下点検口は、断面ほぼコの字型の内枠により蓋体の周囲を上下、側面から包むようにした床下点検口において、気密用のパッキンにより外枠と内枠との間の気密および内枠と蓋体との間の気密がなされているので、床下からの冷気あるいは暖気が外枠と内枠との間や、内枠と蓋体との間から室内に侵入するのを抑え、室内温度に影響を与えないようにすることができる。
【発明を実施するための最良の形態】
【０００８】
以下、本発明の実施の形態を、図面を用いて具体的に説明する。
先ず、図１に示す第１の実施の形態について説明すると、図において１は建物内の床２に形成された床下点検口形成用の平面形状が正方形もしくは長方形の開口部で、この開口部１にはアルミニウムを材料として作られた外枠３が嵌め込まれて取り付けられている。外枠３は前記開口部１の内周面に沿う四方の立ち上がり壁４と、この立ち上がり壁４の上端に外側に直角に向いて連設され前記開口部１周りの床２の上面に当接する鍔部５と、前記立ち上がり壁４の下端に内側に直角に向いて連設されアルミニウムを材料として作られた内枠６を受ける受け部７とを一体に備えている。さらに詳しくは、前記床２は開口部１を囲む部分の下側が木材からなる根太８により受けられ、この根太８の前記開口部１側の側面に前記外枠３を受ける木材からなる受桟９が釘１０打ちにより設けられている。そして、外枠３は受け部７の位置で受桟９に対してビス１１止めされている。
【０００９】
前記内枠６は外枠３で囲まれる開口部１を閉じる蓋体１２の周囲を上下、側面から包むように蓋体１２の外周面に沿う四方の立ち上がり壁１３と、この立ち上がり壁１３の上端に内側に直角に向いて連設され蓋体１２の上面に当接する鍔部１４と、立ち上がり壁１３の下端に内側に直角に向いて連設され蓋体１２の下面に当接するとともに前記外枠３の受け部７上に載る板部１５と、この板部１５の先端から内側に向いて受桟９上の受け部７上に載らないように連設され蓋体１２の下面との間に間隙が形成されるようにしたパッキン取り付け用板部１６とを一体に備えている。従って、この内枠６は前記立ち上がり壁１３と鍔部１４と板部１５とにより断面ほぼコの字型となり、蓋体１２の周囲を上下、側面から包むようになる。そして、前記パッキン取り付け用板部１６と蓋体１２の下面との間にはパッキン取り付け用板部１６の先端の開口より気密用のパッキン１７が全周に亘って挿入されている。１８はパッキン取り付け用板部１６の先端近傍上面に形成されたパッキン１７抜け止め用の凸部である。なお、内枠６は前記立ち上がり壁１３の位置で蓋体１２の外周面に対してビス１９止めされている。
【００１０】
ところで、内枠６を受ける外枠３には立ち上がり壁４と受け部７とのコーナー部内側にパッキン挿入用の凹部２０が形成されていて、この凹部２０に気密用のパッキン２１が全周に亘って挿入されている。そして、受け部７上に内枠６が載せられた状態において内枠６の立ち上がり壁１３と板部１５とのコーナー部外側がパッキン２１に圧接され、外枠３と内枠６との気密が保持されることになり、前記内枠６と蓋体１２との気密は前記パッキン１７により保持されることになる。
【００１１】
次に、図２に示す第２の実施の形態について説明すると、前記第１の実施の形態と異なるのは外枠３の構成である。第２の実施の形態における外枠３は床２に形成された開口部１の内周面に沿う四方の立ち上がり壁２２と、この立ち上がり壁２２の上端に外側に直角に向いて連設され前記開口部１周りの床２の上面に当接する鍔部２３と、前記立ち上がり壁２２の下端に内側に直角に向いて連設され内枠６を受ける受け部２４とを一体に備えている。そして、受け部２４は根太８に取り付けられた受桟９上に載り受桟９に対してビス１１止めされる底板部２４ａと、この底板部２４ａの上側に形成され内枠６の下端の板部１５が載る上板部２４ｂとを備え、上板部２４ｂに上端が開口するように形成された凹部２４ｃ内に気密用のパッキン２５を装着させて、凹部２４ｃから上方に僅かに突出するパッキン２５に内枠６の下端の板部１５の裏面が全周に亘って圧接するように構成されている。なお、この外枠３の立ち上がり壁２２の上端の鍔部２３の裏面には深さの浅い凹部２３ａが形成され、この凹部２３ａ内に床２の上面に全周に亘って圧接する気密用のパッキン２６が設けられ、また前記受け部２４の外側で床２の内周面側に開口する凹部２７が形成され、この凹部２７内に床２の内周面に全周に亘って圧接する気密用のパッキン２８が設けられている。
【００１２】
さらに、この実施の形態では内枠６のパッキン取り付け用板部１６の先端の開口を閉じるようにパッキン取り付け用板部１６の下側と蓋体１２の裏面との間に設けた蓋体止め金具２９を蓋体１２の裏面にビス３０止めすることにより蓋体１２と内枠６が結合されるようになっている。
【００１３】
他の部分において外枠３、内枠６ともに前記第１の実施の形態の外枠３、内枠６と形状の多少の違いはあるが、他の構成は第１の実施の形態と同様である。
以上、２つの実施の形態について述べたが、２つの実施の形態ともに内枠６と蓋体１２との間の気密および外枠３と内枠６との間の気密はパッキン１７およびパッキン２１、２５により保持されるものである。これにより床下からの冷気あるいは暖気が外枠３と内枠６との間や、内枠６と蓋体１２との間などから室内に侵入するのを抑え、室内温度に影響を与えないようにすることができる。
【図面の簡単な説明】
【００１４】
【図１】本発明の第１の実施の形態における床下点検口の拡大断面図である。
【図２】本発明の第２の実施の形態における床下点検口の拡大断面図である。
【符号の説明】
【００１５】
１      開口部
２      床
３      外枠
４      立ち上がり壁
５      鍔部
６      内枠
７      受け部
８      根太
９      受桟
１２      蓋体
１３      立ち上がり壁
１４      鍔部
１５      板部
１６      パッキン取り付け用板部
１７      パッキン
１８      凸部
２０      凹部
２１      パッキン
２２      立ち上がり壁
２３      鍔部
２３ａ    凹部
２４      受け部
２４ａ    底板部
２４ｂ    上板部
２４ｃ    凹部
２５      パッキン
２６      パッキン
２７      凹部
２８      パッキン
２９      蓋体止め金具
【図１】
0005334451.tif 000002
【図２】
0005334451.tif 000003